(57)【要約】【課題】  各単機能機が有するハード資源を有効活用するとともに、システム化とその切り離しとを容易にすることで、機能拡張の汎用性を高めることができる装置を提供することにある。【解決手段】  画像処理装置は、スキャナ装置にプリンタ装置が後付け、もしくは、プリンタ装置にスキャナ装置が後付けされ、スキャン機能、プリント機能、コピー機能といった複合機能を実現可能な状態であるか否か、すなわちシステムとして組み合わされた状態か否かを判定する。【選択図】        図５
2006180439.tif 000002
【特許請求の範囲】
【請求項１】
それぞれ別々な筐体構成で、かつ、単独使用が可能なスキャナ装置とプリンタ装置とを、それぞれどちらか片方の装置に後付けすることで、機能拡張可能な画像処理装置であって、
前記スキャナ装置とプリンタ装置は、それぞれ別々に、各筐体内に画像情報を格納するための大容量な外部記憶装置が設けられており、
前記スキャナ装置の外部記憶装置に、光学的に読み取った画像を蓄積するスキャナ画像蓄積手段と、
前記プリンタ装置の外部記憶装置に、ＰＤＬ（Ｐａｇｅ  Ｄｅｓｃｒｉｐｔｉｏｎ  Ｌａｎｇｕａｇｅ）などで印刷指示された画像を蓄積するプリント画像蓄積手段と、
前記スキャナ装置にプリンタ装置が後付け、もしくは、前記プリンタ装置にスキャナ装置が後付けされ、スキャン機能、プリント機能、コピー機能といった複合機能を実現可能な状態であるか否か、すなわちシステムとして組み合わされた状態か否かを判定するシステム拡張判定手段と、
前記システム拡張判定手段に、プリンタ装置に取り付けられている外部記憶装置とスキャナ装置に取り付けられている外部記憶装置とを、どのように使用するかを設定するシステム拡張モード設定手段とを有することを特徴とする画像処理装置。
【請求項２】
前記システム拡張モード設定手段は複数種類あり、
第１のモードは、単体機能を優先するモードで、スキャナ装置に取り付けられている外部記憶装置にはスキャナ画像だけを格納し、プリンタ装置取り付けられている外部記憶装置にはプリント画像だけを格納させるなど、各装置が扱える画像をそれぞれ別々に記憶するモード、
第２のモードは、並列処理モードで、スキャナ装置およびプリンタ装置に取り付けられた外部記憶装置の２つを繋げて、１つの外部記憶装置として扱うモード、
第３のモードは、バックアップモードで、スキャナ装置およびプリンタ装置に取り付けられた外部記憶装置のうち、何れか片方の外部記憶装置を主として使用し、もう片方の外部記憶装置は、前記外部記憶装置のバックアップ用に使用するモード、
第４のモードは、禁止モードで、スキャナ装置に取り付けられた外部記憶装置とプリンタ装置に取り付けられた外部記憶装置とを、全く使用しないモード、
を有することを特徴とする画像処理装置。
【請求項３】
前記スキャナ装置にプリンタ装置が後付け、もしくは、前記プリンタ装置にスキャナ装置が後付けされ、スキャン機能、プリント機能、コピー機能といった複合機能が動作している状態において、単機能機としての動作指示がされた場合、その指示に対して応答をしない、もしくは、システムとしての作業指示と単機能機としての作業指示の優先順位付けできるモードを有することを特徴とする画像処理装置。
【請求項４】
前記並列処理モードでは、外部記憶装置に記憶する文書数やページ数といった上限制限について、スキャナ装置が単体で動作した場合の上限値を用いるのか、プリンタ装置が単体で動作した場合の上限値を用いるのか、システムとして組み合わさった状態での制限値を用いるかの設定に応じて、外部記憶装置に記憶する画像情報を制限することを特徴とする画像処理装置。
【発明の詳細な説明】
【技術分野】
【０００１】
本発明は、それぞれ別々な筐体構成で、かつ、単独使用が可能なスキャナ装置とプリンタ装置において、その何れかを後付けすることにより機能拡張可能な画像処理装置であって、スキャナ装置とプリンタ装置をシステムとして組み合わせ、スキャン機能、プリント機能、コピー機能といった複合機能機として動作する画像処理装置に関するものである。
【背景技術】
【０００２】
従来、それぞれ別々な筐体構成で、かつ、単独使用が可能なスキャナ装置とプリンタ装置において、該装置を組み合わせてシステム化し、スキャン機能、プリント機能、コピー機能といった複合機能機として動作させる方式としては、パーソナルコンピュータがスキャナ装置とプリンタ装置とを、通信回線（ＬＡＮなど）を介して制御する方式が一般的である（例えば、特許文献１）。
【特許文献１】特開平６−２１４９１９号公報
【発明の開示】
【発明が解決しようとする課題】
【０００３】
しかしながら、それぞれ別々な筐体構成で、かつ、単独使用が可能なスキャナ装置とプリンタ装置において、それぞれどちらか片方を後付けして組み合わせることで機能拡張可能な画像処理装置において、スキャナ装置もしくはプリンタ装置を繋ぐために、高価な情報処理装置を購入する必要があるなど、システムとしての拡張性にかけるという問題があった。
【０００４】
また、スキャナおよびプリンタそれぞれの単体装置に外部記憶装置が取り付けてある場合の提案がされていないため、次のような問題点がある。
【０００５】
（１）スキャナ装置もしくはプリンタ装置の双方に外部記憶装置が存在しても、その両装置を組み合わせてシステムとして使用する場合は、片方のみしか使用されない構成となっていたため、スキャナ装置の外部記憶装置のみが使用された場合は、スキャナ装置にプリンタ画像が格納されたり、プリンタ装置の外部記憶装置のみが使用された場合は、プリンタ装置にスキャン画像が格納されることが有り得るなど、システムとして動作する場合は問題無いが、システムとして組み合わさった状態から、単機能装置として使用していた状態に戻すためには、外部記憶装置を再フォーマットして初期化する必要があるなど、装置としての拡張性・汎用性に欠けるという問題があった。
【０００６】
（２）スキャナ装置もしくはプリンタ装置の双方に外部記憶装置が存在しても、その両装置を組み合わせてシステムとして使用する場合は、それぞれの外部記憶装置が切り離されて全く使用させない、もしくは、新たにシステムとして組み合わさった情報を格納するための外部記憶装置を増設する必要があるなど、装置の有効利用が困難であるという問題があった。
【０００７】
また、スキャナ装置もしくはプリンタ装置が組み合わさった状態（すなわちシステムとしての動作が受付可能である場合に）、システムとしての動作指示だけでなく、単機能としての動作指示も受け付けていたため、システムとしての機能動作指示したジョブ（例えば、コピー動作）が直ぐに実行されないなど、システムとしての効率性に問題があった。
【０００８】
本発明の目的は、上記の従来技術の有する問題点を解決するためになされたもので、各単機能機が有するハード資源を有効活用するとともに、システム化とその切り離しとを容易にすることで、機能拡張の汎用性を高めることができる画像処理装置を提供することにある。
【課題を解決するための手段】
【０００９】
本発明は上記課題を解決するために、画像処理装置を以下（１）〜（４）の構成とする。
【００１０】
（１）それぞれ別々な筐体構成で、かつ、単独使用が可能なスキャナ装置とプリンタ装置とを、それぞれどちらか片方の装置に後付けすることで、機能拡張可能な画像処理装置であって、前記スキャナ装置とプリンタ装置は、それぞれ別々に、各筐体内に画像情報を格納するための大容量な外部記憶装置が設けられており、前記スキャナ装置の外部記憶装置に、光学的に読み取った画像を蓄積するスキャナ画像蓄積手段と、前記プリンタ装置の外部記憶装置に、ＰＤＬ（Ｐａｇｅ  Ｄｅｓｃｒｉｐｔｉｏｎ  Ｌａｎｇｕａｇｅ）などで印刷指示された画像を蓄積するプリント画像蓄積手段と、前記スキャナ装置にプリンタ装置が後付け、もしくは、前記プリンタ装置にスキャナ装置が後付けされ、スキャン機能、プリント機能、コピー機能といった複合機能を実現可能な状態であるか否か、すなわちシステムとして組み合わされた状態か否かを判定するシステム拡張判定手段と、前記システム拡張判定手段に、プリンタ装置に取り付けられている外部記憶装置とスキャナ装置に取り付けられている外部記憶装置とを、どのように使用するかを設定するシステム拡張モード設定手段とを有することを特徴とする。
【００１１】
（２）前記システム拡張モード設定手段は複数種類あり、第１のモードは、単体機能を優先するモードで、スキャナ装置に取り付けられている外部記憶装置にはスキャナ画像だけを格納し、プリンタ装置取り付けられている外部記憶装置にはプリント画像だけを格納させるなど、各装置が扱える画像をそれぞれ別々に記憶するモード、第２のモードは、並列処理モードで、スキャナ装置およびプリンタ装置に取り付けられた外部記憶装置の２つを繋げて、１つの外部記憶装置として扱うモード、第３のモードは、バックアップモードで、スキャナ装置およびプリンタ装置に取り付けられた外部記憶装置のうち、何れか片方の外部記憶装置を主として使用し、もう片方の外部記憶装置は、前記外部記憶装置のバックアップ用に使用するモード、第４のモードは、禁止モードで、スキャナ装置に取り付けられた外部記憶装置とプリンタ装置に取り付けられた外部記憶装置とを、全く使用しないモード、を有することを特徴とする。
【００１２】
（３）前記スキャナ装置にプリンタ装置が後付け、もしくは、前記プリンタ装置にスキャナ装置が後付けされ、スキャン機能、プリント機能、コピー機能といった複合機能が動作している状態において、単機能機としての動作指示がされた場合、その指示に対して応答をしない（ジョブを受け付けない）もしくは、システムとしての作業指示と単機能機としての作業指示の優先順位付けできるモードを有することを特徴とする。
【００１３】
（４）前記並列処理モードでは、外部記憶装置に記憶する文書数やページ数といった上限制限について、スキャナ装置が単体で動作した場合の上限値を用いるのか、プリンタ装置が単体で動作した場合の上限値を用いるのか、システムとして組み合わさった状態での制限値を用いるかの設定に応じて、外部記憶装置に記憶する画像情報を制限することを特徴とする。
【発明の効果】
【００１４】
本発明に係る発明によれば、プリンタ装置およびスキャナ装置とで別々な外部記憶装置を有している場合に、該装置を組み合わせてシステムとして運用した際に、重複する外部記憶装置を無駄にすることなく有効に活用できるとともに、システム化に伴うデータ保証能力の強化についても、データバックアップによる対応が可能になるなど、システムとしての運用に対して柔軟な対応が可能になる。
【００１５】
また、プリンタ装置およびスキャナ装置をシステムとして運用した場合に、外部記憶装置の動作を違えることで、並列モードによる単機能機での記憶容量不足解消などが可能になるなど、柔軟なシステム装置としての組み合わせが可能になる。
【００１６】
また、ジョブの動作についても、全禁止、新規受付のみ不可、出力のみ中断といったこまかな制限を行うことで、より柔軟なジョブ動作制限手段の提供が可能になる。
【００１７】
また、ジョブ実行について、システムとしての動作指示と、単機能機としての動作指示についての優先順位付けを可能としたことで、システム機としての動作中に単機能が割り込むことを避けることができるなど、作業効率の向上を図ることが可能になる。
【発明を実施するための最良の形態】
【００１８】
以下、本発明の実施形態について図面を用いて詳細に説明する。
【実施例１】
【００１９】
図１は、本発明の基本構成を示す図である。
【００２０】
図１において、１０１のプリンタ装置（図２に示すプリンタ装置２０２に相当）と１０７のスキャナ装置（図２に示すスキャナ装置２０１に相当）とを、ビデオ信号インタフェース１１３を介してシステムとしての動作が可能なように組み合わせるとともに、１１４のネットワークインタフェースを介して、情報処理装置（図２に示す情報処理装置２０５に相当）などから単機能機としてのスキャン指示やプリント指示を受け付ける構成となっている。
【００２１】
１０２は、プリンタコントローラであり、ビデオ信号インタフェース１１３を介して、スキャナ装置１０７が光学的に読み取った原稿を、プリンタエンジン（プリンタエンジン制御部）１０３に対して出力指示するとともに、通信制御部１０４を介してネットワークインタフェース１１４に接続された情報処理装置２０５と、ＩＰ（Ｉｎｔｅｒｎｅｔ  Ｐｒｏｔｏｃｏｌ）アドレス、ポート番号を指定することで、ＩＰパケットデータによる各種の制御を行う。
【００２２】
１０３は、プリンタエンジン制御部である。本実施例では、レーザ光を用いた電子写真方式の出力ユニットを用い、給紙装置から引き込んだ紙に現像ユニットなどを介して描画するとともに、排紙ユニットを経て機外に排出する部分である。
【００２３】
１０４は、通信制御部であり、ＬＡＮ１１４を介してネットワーク上のクライアント（図２に示す情報処理装置２０５に相当）とデータのやり取りをする。
【００２４】
１０５は、操作部であり、機器（図２のプリンタ装置２０２に相当）に接続されたディスプレイ（図３に示すＬＣＤディスプレイ３１０に相当）やキーボード（図３に示すキーボード３１１に相当）の操作により指示された各種処理を制御する部分である。
【００２５】
１０６は、外部記憶装置（図３に示す記憶装置（ＨＤ）３０４に相当）であり、ビデオ信号インタフェース１１３および、ＬＡＮ１１４を介して入力した画像情報を文書として蓄積する部分である。
【００２６】
１０８は、スキャナコントローラであり、スキャナ装置１０７が光学的に読み取った原稿の色補正や製本レイアウトなどの編集処理行うとともに、ビデオ信号インタフェース１１３を介して、プリンタエンジン（プリンタエンジン制御部）１０３に対して出力指示する。
【００２７】
１０９は、スキャナエンジン制御部であり、ＣＣＤイメージセンサーなどを用いて、原稿読み取り台などに置かれた紙を光学的により読み取る部分である。
【００２８】
１１０は、通信制御部であり、ネットワークインタフェース１１４に接続された情報処理装置２０５などと、ＩＰ（Ｉｎｔｅｒｎｅｔ  Ｐｒｏｔｏｃｏｌ）アドレス、ポート番号を用いたＩＰパケットデータにより、ネットワーク上のクライアント（図２に示す情報処理装置２０５に相当）とデータのやり取りをする。
【００２９】
１１１は、操作部であり、機器（図２のスキャナ装置２０１に相当）に接続されたディスプレイ（図４に示すＬＣＤディスプレイ４１０に相当）やキーボード（図４に示すキーボード４１１に相当）の操作により指示された各種処理を制御する部分である。
【００３０】
１１２は、外部記憶装置（図４に示す記憶装置（ＨＤ）４０４に相当）であり、ビデオ信号インタフェース１１３および、ＬＡＮ１１４を介して入力した画像情報を文書として蓄積する部分である。
【００３１】
１１３は、ビデオ信号インタフェースであり、スキャナ装置１０７（図２のスキャナ装置２０１に相当）で読み取った画像データを、ビデオ信号によりプリンタ装置１０１（図２のプリンタ装置２０２に相当）へ伝える部分である。
【００３２】
１１４は、ネットワークインタフェースであるＬＡＮである。なお、本実施例では、ネットワーク上のクライアント（図２に示す情報処理装置２０５に相当）を本ネットワークで接続する方式としたが、これは、一例であって限定するものでは、無い。
【００３３】
図２は、本発明のシステム構成を示す図である。
【００３４】
図２において、それぞれ別々な筐体構成で、かつ、単独使用が可能なスキャナ装置２０１とプリンタ装置２０２とを、ビデオケーブル２０３で接続することで機能拡張可能とするとともに、単体機能のまま使用する場合も考慮して、ＬＡＮケーブル２０４を介して、情報処理装置２０５と接続する構成とした。
【００３５】
なお、本実施例では、ジョブ投入および装置管理について、ローカルエリアネットワーク２０４経由か、ビデオケーブル２０３経由かを特に意識しない構成としたが、ローカルエリアネットワーク２０４経由の場合は単機能機と見せ、ビデオケーブル経由２０３の場合にのみ、システムとして組み合わさった複合機の状態を表す構成としてもよい。
【００３６】
図３は、図２のプリンタ装置２０２のハードウエア構成を示す図である。
【００３７】
ＣＰＵ３０１は、バス３１２を介して、メモリ（ＲＡＭ）３０２と、ＲＯＭ３０３と、記憶装置（ＨＤ）３０４と、プリンタインタフェース３０５と、ユーザインタフェース（操作部）３０９と、ビデオインタフェース３０８と、ネットワークインタフェース３０７に接続する。
【００３８】
ＣＰＵ３０１が実行するプログラムは、ＲＯＭ３０３、記憶装置３０４、および、ネットワークインタフェース３０７などから、メモリ３０２に読み出される。
【００３９】
３０５はプリンタインタフェースであり、プリンタ資源の管理及びプリンタエンジン３０６を使用するジョブの実行・制御を行う。
【００４０】
３０６はプリンタエンジンであり、ＣＰＵ３０１が実行するプログラムにより作成された画像を紙に印字出力部分である。
【００４１】
３０７はネットワークインタフェースであり、ネットワークパケットの物理層（物理パケット）の処理、つまり物理パケットからトランスポートパケットの抽出、およびトランスポートパケットから物理パケットの生成を行う。
【００４２】
３０８はビデオインタフェースであり、スキャナ装置を後付けした際に、画像データを入力する部分である。
【００４３】
３０９はユーザインタフェースであり、ＬＣＤディスプレイ３１０とキーボード３１１を制御することで、ユーザである装置操作者と各種情報のやり取りを行う。
【００４４】
図４は、図２のスキャナ装置２０１のハードウエア構成を示す図である。
【００４５】
ＣＰＵ４０１は、バス４１２を介して、メモリ（ＲＡＭ）４０２と、ＲＯＭ４０３と、記憶装置（ＨＤ）４０４と、スキャナインタフェース４０５と、ユーザインタフェース（操作部）４０９と、ビデオインタフェース４０８と、ネットワークインタフェース４０７に接続する。
【００４６】
ＣＰＵ４０１が実行するプログラムは、ＲＯＭ４０３、記憶装置４０４、および、ネットワークインタフェース４０７などから、メモリ４０２に読み出される。
【００４７】
４０５はスキャナインタフェースであり、スキャナ資源の管理及びスキャナエンジン４０６を使用するジョブの実行・制御を行う。
【００４８】
４０６はスキャナエンジンであり、ＣＰＵ４０１が実行するプログラムにより、原稿台に置かれた原稿に書かれた内容を、ＣＣＤイメージセンサーなどを用いて光学的に読み取る部分である。
【００４９】
４０７はネットワークインタフェースであり、ネットワークパケットの物理層（物理パケット）の処理、つまり物理パケットからトランスポートパケットの抽出、およびトランスポートパケットから物理パケットの生成を行う。
【００５０】
４０８はビデオインタフェースであり、スキャナエンジン４０６が読み取った情報を他の装置へ出力する部分である。
【００５１】
４０９はユーザインタフェースであり、ＬＣＤディスプレイ４１０とキーボード４１１を制御することで、ユーザである装置操作者と各種情報のやり取りを行う。
【００５２】
図５は、本発明に係る画像処理装置における第１のデータ処理手順の一例を示すフローチャートであり、電源ＯＮ時に行うシステムとしての組み合わせ状況を確認するための処理を示す。
【００５３】
先ず、ステップ５０１において、システムとして組み合わせがされているか否かを調べる。本実施例では、図１に示したビデオ信号インタフェース１１３がプリンタ装置とスキャナ装置に接続されているか否かをチェックすることにより判断した。ビデオ信号インタフェース１１３を介して、スキャナ装置とプリンタ装置とでデータをやり取りできる場合は、図８に示す制限事項管理テーブルにある「システム化のＯＦＦ／ＯＮ」をＯＮ（システムとして使用）に設定した後、ステップ５０２に進む。
【００５４】
次にステップ５０２では、外部記憶装置の扱い方が設定済みであるか否かを調べる。外部記憶装置の扱いが確定済みな場合は、システム優先にするか、単機能優先にするかを決定した後、本処理を終了する。外部記憶装置の扱い方が設定済みか否かの情報は、図８に示す制限事項管理テーブルにあり、図３のプリンタ装置においてはメモリ３０２に、図４のスキャナ装置においてはメモリ４０２に、全く同一な情報が記憶されているものとする。
【００５５】
また、ステップ５０２で外部記憶装置の扱いが確定済みでない場合は、ステップ５０３に進み、図６の説明で後述するのＨＤのモード確定画面から、個別モード６０４／並列モード６０５／バックアップモード６０６／禁止モード６０７の何れかを選択し、図８に示す制限事項管理テーブルの保持先であるメモリ３０２およびメモリ４０２に対して、ステップ５０３で設定された情報で更新した後、次のステップ５０４に進む。
【００５６】
ステップ５０４では、ジョブ投入の優先順位が確定済みか否かを調べる。ジョブ投入の優先順位が確定済みである場合は、本処理を終了する。
【００５７】
また、ステップ５０４で、ジョブ投入の優先順位が確定を済みでない場合は、ステップ５０５に進み、後述する図７のジョブの優先順位設定画面から、単機能機優先７０３なのか、システム機優先７０２なのかを選択し、図８に示す制限事項管理テーブルの保持先であるメモリ３０２およびメモリ４０２に対して、ステップ５０５で設定された情報で更新した後、本処理を終了する。
【００５８】
一方、ステップ５０１において、ビデオ信号インタフェース１１３を介したデータのやり取りが不可であった場合は、ステップ５０６に進み、単機能機としての動作のみを行うよう図８に示す制限事項管理テーブルにある「システム化のＯＦＦ／ＯＮ」をＯＦＦ（システムとしての使用不可）に設定した後、本処理を終了する。
【００５９】
図６は、外部記憶装置（ＨＤ）の使用モードを設定する画面である。
画面６０１において、スキャナ装置内に取り付けてある外部記憶装置の概要を６０２に示し、プリンタ装置内に取り付けてある外部記憶装置の概要を６０３に示している。
【００６０】
また、個別モード６０４と並列モード６０５とバックアップモード６０６と禁止モード６０７は、その何れか１つを選択するように構成されている。
【００６１】
また、並列モード６０５を選択した場合は、制限事項をシステムとして運用する（６０８）のか、スキャナ装置の制限を用いる（６０９）ようにするのか、プリンタ装置の制限を用いる（６１０）ようにするのかを選択する。なお、本実施例においては、並列モード６０５での画像保存先を、スキャナ文書はスキャナ装置に限定し、プリンタ文書の記憶先をプリンタ装置に限定する方式とした。ただし、制限事項をシステムとされた場合は、スキャン文書をプリンタ装置に記憶されることが有るものとしたが、特に本制限に対してこだわるものでは、無い。
【００６２】
また、バックアップモード６０６を選択した場合は、バックアップの時間（タイミング）を、ＨＤ書き込み時６１１と、ある決められた時間（時刻指定６１２）の選択と、バックアップ装置を、スキャナ側とする（スキャナ側ＨＤ６１３）とプリンタ側とする（プリンタ側ＨＤ６１４）を選択する構成とした。
【００６３】
なお、本画面で設定した情報は、図８に示す制限事項管理テーブルにあり、図３のプリンタ装置においてはメモリ３０２に、図４のスキャナ装置においてはメモリ４０２に、全く同一な情報を記憶するものとした。
【００６４】
図７は、ジョブの優先順位を設定する画面である。
画面７０１は、スキャンジョブとプリントジョブについて、単機能機として投入されたジョブと、複合機であるシステムを使用するジョブとで、ジョブ実行の優先順位付けを可能とした画面を示している。
【００６５】
７０１の画面中、スキャナジョブの優先順位をシステム優先７０２および単機能優先７０３で指定し、プリントジョブの優先順位をシステム優先７０４および単機能優先７０５で設定する構成とした。
【００６６】
なお、本画面で設定した情報は、図８に示す制限事項管理テーブルにあり、図３のプリンタ装置においてはメモリ３０２に、図４のスキャナ装置においてはメモリ４０２に、全く同一な情報を記憶するものとした。
【００６７】
また、スキャナ装置の動作として、スキャナジョブにおける優先順位で、システム優先７０２が選択された場合、システムとしての動作中（例えば、コピー動作など）は、単機能装置としてのスキャンジョブを投入できないこととした。
【００６８】
また、プリンタ装置も同じで、プリントジョブにおける優先順位で、システム優先７０４が選択された場合、システムとしての動作中（例えば、コピー動作など）は、単機能装置としてのプリントジョブを投入できないこととした。
【００６９】
図８は、制限事項管理データの一例を示す図である。
本データには、システムとして動作するか否か（システム化のＯＦＦ／ＯＮ）、ＨＤをシステムとして利用するか否か（ＨＤの使用モード：システム優先、単機能優先）といった動作する上での、各種の制限事項が記憶され、図３のプリンタ装置においてはメモリ３０２に、図４のスキャナ装置においてはメモリ４０２に、全く同一な情報を記憶するものとした。
【００７０】
図９及び図１０は、本発明に係る画像処理装置における第２のデータ処理手順の一例を示すフローチャートであり、スキャナ装置内の外部記憶装置とプリンタ装置内の外部記憶装置に格納された文書を表示するための処理を示す。
【００７１】
先ず、ステップ９０１において、図８の制限事項管理データから、図６のモード設定画面で設定したモードが、個別モード６０４か否かを調べる。個別モード６０４である場合は、ステップ９０２に進み、文書リストの問い合わせがスキャナ装置に対するものか否かを調べる。スキャナ装置に対する文書リストの問い合わせである場合は、ステップ９０３に進み、スキャナ側ＨＤ４０４に格納された文書一覧を取得する。ステップ９０３で取得した情報の表示例を図１１の１００９に示す。また、ステップ９０２で、問い合わせがスキャナ装置側でない場合は、ステップ９０４で、問い合わせがプリンタ装置に対するものか否かを調べる。プリンタ装置に対する文書リストの問い合わせである場合は、ステップ９０５に進み、プリンタ側ＨＤ３０４に格納された文書一覧を取得する。ステップ９０５で取得した情報の表示例を図１１の１００１に示す。
【００７２】
一方、ステップ９０１において、個別モード６０４でなかった場合は、ステップ９０６に進み、並列モード６０５か否かを調べる。並列モード６０５である場合は、ステップ９０７に進み、スキャナ側ＨＤ４０４に格納された文書一覧を取得した後、ステップ９０８に進み、プリンタ側ＨＤ３０４に格納された文書一覧を取得するとともに、ステップ９０７で取得した情報をマージする。ステップ９０８でマージした情報の表示例を図１２の１０１２に示す。
【００７３】
一方、ステップ９０６において、並列モード６０５でない場合は、図１０のステップ９０９に進み、バックアップモード６０６か否かを調べる。バックアップモード６０６である場合は、ステップ９１０に進み、バックアップ装置として使用されているのがスキャナ側の外部記憶装置（ＨＤ）４０４か否かを調べる。スキャナ側である場合は、ステップ９１１に進み、プリンタ側ＨＤ３０４に格納された文書一覧を取得する。ここで取得した情報の表示例は、図１２の１０１２に示す。また、ステップ９１０において、バックアップ装置がプリンタ側である場合は、ステップ９１２に進み、スキャナ側ＨＤ４０４に格納された文書一覧を取得する。ここで取得した情報の表示例は、図１２の１０１２となる。
【００７４】
図１１は、本発明に係る文書格納例および、表示例を示す図である。また、本実施例では、スキャナ装置２０１およびプリンタ装置２０２、情報処理装置２０５とが同じ内容を表示するものとしたが、表示装置および表示する項目について、特にこだわるものでなく、各装置で表示し易いように違えても良い。
【００７５】
図中１００１は、個別使用された場合のプリンタ装置１０１の外部記憶装置１０６の内容を示す画面例である。
【００７６】
１００２は、個別使用時のスキャナ文書一覧への切り替えを示すボタンである。なお、本ボタンは、図３のプリンタ装置のＬＣＤディスプレイ３１０には、表示されないものとした。これは、個別使用時は、プリンタ装置のＬＣＤディスプレイ３１０には、記憶装置３０４の情報のみを表示する構成としたためであるが、特にこの仕組みにこだわるものでは、無い。
【００７７】
図中１００３は、文書リストを示し、１００４の画面スクロールボタンを操作することで、一度に表示しきれない他の文書リスト表示が可能である。
【００７８】
なお、図中、プリント１００５、スキャン１００６、移動・複写１００７、削除１００８は、機能ボタンであり、プリンタ装置のキーボード３１１により操作される構成とした。ここで、スキャン１００６ボタンを操作した場合は、ビデオケーブル２０３の存在を検知して、コピー機能として動作するのか、ＨＤ格納するのかを選択する構成とした。なお、前記コピー機能および、プリント１００５を操作した場合は、システム機としてジョブ投入として処理する構成とした。
【００７９】
次に、１００９は、個別使用された場合のスキャナ装置１０７の外部記憶装置１１２の内容を示す画面例である。
【００８０】
１０１０は、個別使用時のプリンタ文書一覧への切り替えを示すボタンである。このボタンも、図４のスキャナ装置のＬＣＤディスプレイ４１０では、表示されないものとした。これは、個別使用時は、スキャナ装置のＬＣＤディスプレイ４１０には、記憶装置４０４の情報のみを表示する構成としたためであるが、特にこの仕組みにこだわるものでは、無い。
【００８１】
なお、画面１００９で特にふれていないが、画面１００１と同様に、プリント１００５、スキャン１００６、移動・複写１００７、削除１００８といった機能ボタンを有しており、スキャナ装置のキーボード４１１により操作する構成とした。ここで、スキャン１００６ボタンを操作した場合は、ビデオケーブル２０３の存在を検知して、コピー機能として動作するのか、ＨＤ格納するのかを選択する構成とした。なお、前記コピー機能および、プリント１００５を操作した場合は、システム機としてジョブ投入として処理する構成とした。
【００８２】
次に、図１２の１０１２は、並列モードとバックアップモードで使用された場合の文書格納例を示す画面例である。また、本実施例では、スキャナ装置２０１およびプリンタ装置２０２、情報処理装置２０５とが同じ内容を表示するものとしたが、表示装置および表示する項目について特にこだわるものでなく、各装置で表示し易いように違えても良い。
【００８３】
図中１０１３は、作成日でソートする構成として表示例で、スキャナＨＤもしくはプリンタＨＤの何れかユーザ設定した方へ、スキャナ情報とプリント情報を書き出す構成とした。
【００８４】
図１３は、本発明に係る画像処理装置における第３のデータ処理手順の一例を示すフローチャートであり、ジョブ実行の優先順位付け処理フローである。なお、ジョブの投入は、ユーザインタフェース３０９もしくは４０９および、情報処理装置２０５から指示されるものとした。
【００８５】
図中、ステップ１１０１において、システムとしてのジョブなのか、単機能としてのジョブなのかを調べる。本実施例では、システムジョブか否かは、プリンタ装置２０２においては、スキャンもしくはコピー動作を指示する１００６ボタン操作によるジョブ投入か否か、スキャナ装置２０１においては、プリントボタンおよびコピー動作指示によるものか否かを判定することにより求める方式とした。
【００８６】
次に、ステップ１１０２にて、図７で設定した優先順位を、メモリ３０２およびメモリ４０２に保持する図８の制限事項管理テーブルから、図７で設定したジョブの優先順位を読み出す。
【００８７】
次に、ステップ１１０３で、ユーザインタフェース３０９もしくは４０９および、情報処理装置２０５から指示されたジョブについて、他の実行待ちジョブの有無を調べる。ここで、各ジョブの投入形態（システムジョブか、単機能ジョブか）と図７で指定した優先順位情報から、これから処理しようとするジョブの優先順位が、他の実行待ちジョブと比較して高いか否かを判定する。ステップ１１０３において、他の高優先ジョブが有る場合は、ステップ１１０４に進み、該高優先ジョブの処理が実行終わるのを待つ。
【００８８】
一方、ステップ１１０３において、高優先ジョブが存在しない場合は、ステップ１１０５に進み、ユーザインタフェース３０９もしくは４０９および、情報処理装置２０５から投入されたジョブの実行を行う。
【００８９】
図１４は、本発明に係る画像処理装置における第４のデータ処理手順の一例を示すフローチャートであり、文書の書き込み処理フローである。
【００９０】
図中、ステップ１２０１において、図８の制限事項管理データから図６で設定した制限事項（システムでの制限６０８と、スキャナ装置制限６０９と、プリンタ装置制限６１０の何れか、１つが設定される）を求めるとともに、これから外部記憶装置へ書き出すことについての上限到達の有無を調べる。なお、上限事項の詳細は、ここで触れることをしないが、一例として、外部記憶装置であるＨＤに保存できるトータル文書数や、トータルページ数や、１文書として記憶できる最大ファイルサイズなどがある。ステップ１２０１において、上限到達していない場合は、ステップ１２０２に進む。
【００９１】
ステップ１２０２では、外部記憶装置であるＨＤの使用モードがバックアップモードに設定されているか否か（図８の制限事項管理データから図６で設定するバックアップモード６０６が選択されているか否か）を調べる。ここで、バックアップモー６０６ドが選択されていた場合は、ステップ１２０３に進む。
【００９２】
ステップ１２０３では、図８の制限事項管理データから、図６で指定するバックアップを通常のデータ書き込みにリンクして行うモード（ＨＤ書き込み時６１１）か、ある決められた時間（例えば、２時間毎といった周期的な時間や２３：００などの決められた時間）に行うモード（時刻指定６１２）のどちらに設定されているか否かを調べる。ここで、ＨＤ書き込み時６１１が選択されていた場合は、次のステップ１２０５に進む。
【００９３】
一方、ステップ１２０３において、時刻指定６１２が指定されていると判断した場合は、ステップ１２０４に進み、現在のシステム時刻が図６の時刻指定６１２で指定した時刻に達しているか否かを調べる。システム時刻が時刻指定６１２で指定した時刻に達している場合は、ステップ１２０５へ進む。なお、本実施例において、システム時刻は、スキャナ装置とプリンタ装置とで時刻の同期取りを行わせ、常に両装置が同じ時刻を指すものとした。
【００９４】
次に、ステップ１２０５において、バックアップ先となる外部記憶装置を取得するため、図８の制限事項管理データから、第６図で指定するスキャナ側ＨＤ６１３とプリンタ側ＨＤ６１４の何れかが設定されているか否かを調べる。ここで、スキャナ側ＨＤ６１３が選択されていた場合は、ステップ１２０６に進み、スキャナ側装置へのバックアップ書き込みを行った後、ステップ１２０８へ進む。
【００９５】
一方、ステップ１２０５で、プリンタ側ＨＤ６１４が選択されていた場合は、ステップ１２０７へ進み、スキャナ側装置へのバックアップ書き込みを行った後、ステップ１２０８へ進む。
【００９６】
ステップ１２０８では、プリント１００５やスキャン１００６や移動・複写１００７および、削除１００８を操作して、ユーザの指定した外部記憶装置に対するデータ書き込みを行い、本処理を終了する。
【図面の簡単な説明】
【００９７】
【図１】本発明の第１実施形態を示す画像処理装置の一例を示す図である。
【図２】図１に示した画像処理装置の外観の構成例を示す図である。
【図３】図２に示したプリンタ装置のハードウエア構成を示す図である。
【図４】図２に示したスキャナ装置のハードウエア構成を示す図である。
【図５】本発明に係る画像処理装置における第１のデータ処理手順の一例を示すフローチャートであり、各装置のメイン電源がＯＮされた際の処理フローを示す図である。
【図６】図１に示したスキャナ装置とプリンタ装置にある外部記憶装置の使用モードを設定する画面例を示す図である。
【図７】図１に示したスキャナ装置とプリンタ装置から投入されるジョブの優先順位を設定する画面例を示す図である。
【図８】図１に示したスキャナ装置とプリンタ装置が管理する各種情報の構成例を示す図である。
【図９】本発明に係る画像処理装置における第２のデータ処理手順の一例を示すフローチャートであり、外部記憶装置に格納された文書情報取得の処理フローを示す図である。
【図１０】本発明に係る画像処理装置における第２のデータ処理手順の一例を示すフローチャートであり、外部記憶装置に格納された文書情報取得の処理フローを示す図である。
【図１１】図１に示したスキャナ装置とプリンタ装置とが外部記憶装置に格納する情報の表示例を示す図である。
【図１２】図１に示したスキャナ装置とプリンタ装置とが外部記憶装置に格納する情報の表示例を示す図である。
【図１３】本発明に係る画像処理装置における第３のデータ処理手順の一例を示すフローチャートであり、ジョブの優先順位を判定する処理フローを示す図である。
【図１４】本発明に係る画像処理装置における第４のデータ処理手順の一例を示すフローチャートであり、外部記憶装置へデータ格納する際のデータバックアップの処理フローを示す図である。
【符号の説明】
【００９８】
１０１、２０２  プリンタ装置
１０２  プリンタコントローラ
１０３  プリンタエンジン制御部
１０４  通信制御部
１０５  操作部
１０６  外部記憶装置
１０７、２０１  スキャナ装置
１０８  スキャナコントローラ
１０９  スキャナエンジン制御部
１１０  通信制御部
１１１  操作部
１１２  外部記憶装置
２０３  ビデオケーブル
２０４  ＬＡＮケーブル
２０５  情報処理装置
３０４  記憶装置（ＨＤ）
４０４  記憶装置（ＨＤ）
【図１】
2006180439.tif 000003
【図２】
2006180439.tif 000004
【図３】
2006180439.tif 000005
【図４】
2006180439.tif 000006
【図５】
2006180439.tif 000007
【図６】
2006180439.tif 000008
【図７】
2006180439.tif 000009
【図８】
2006180439.tif 000010
【図９】
2006180439.tif 000011
【図１０】
2006180439.tif 000012
【図１１】
2006180439.tif 000013
【図１２】
2006180439.tif 000014
【図１３】
2006180439.tif 000015
【図１４】
2006180439.tif 000016